(57)【特許請求の範囲】
【請求項１】
２つの日車を含むカレンダ機構付き時計において、
カレンダ機構付き時計を駆動するための駆動機構と、
前記駆動機構の作動により回転して時刻情報を表示する時刻表示車（３２４、３５４）と、
日付のうちの一の位を表示する第一日車（５１２）と、
日付のうちの十の位を表示する第二日車（５２２）と、
前記駆動機構の作動に基づいて、前記第一日車（５１２）および前記第二日車（５２２）を、それぞれ間欠的に回転させることができるように構成されたプログラム歯車（５４０）とを備え、
前記第二日車（５２２）の回転中心軸線は、前記第一日車（５１２）の外側に位置し、かつ、前記プログラム歯車（５４０）の内側に位置するように構成され、
互いに隣接して位置決めされた、前記第一日車（５１２）に設けられた第一日文字のうちの１つと、前記第二日車（５２２）に設けられた第二日文字のうちの１つとによって、日に関する情報を表示することができるように構成されており、
前記プログラム歯車（５４０）は、中心穴を有するリング形状に構成され、
前記第一日車（５１２）を間欠的に回転させるためのプログラム歯（５４３）が、前記プログラム歯車（５４０）の外周部に設けられ、
前記第二日車（５２２）を間欠的に回転させるための別のプログラム歯（５４２）が、前記プログラム歯車（５４０）の内周部に設けられており、
さらに、前記プログラム歯車（５４０）の回転に基づいて回転するカレンダ中間車（５３７）を備え、
前記カレンダ中間車（５３７）の回転中心軸線は、前記第一日車（５１２）の外側に位置し、かつ、前記プログラム歯車（５４０）の外側に位置するように構成されており、
前記第一日車（５１２）は、前記カレンダ中間車（５３７）の回転に基づいて回転するように構成される、
ことを特徴とするカレンダ機構付き時計。
【請求項２】
請求項１に記載のカレンダ機構付き時計において、
前記プログラム歯車（５４０）は、中心穴を有するリング形状に構成され、
前記時刻表示車（３２４、３５４）の回転中心軸線は、前記プログラム歯車（５４０）の中心穴の内部に配置される、
ことを特徴とするカレンダ機構付き時計。
【請求項３】
請求項１に記載のカレンダ機構付き時計において、
前記プログラム歯車（５４０）は、前記駆動機構の作動を受け入れるための３１個の駆動用プログラム歯を有し、
前記プログラム歯車（５４０）は、前記第一日車（５１２）を回転させるための３０個の歯部（５４３）を有し、
前記プログラム歯車（５４０）は、前記第二日車（５２２）を回転させるための４個の歯部（５４２）を有し、
前記第一日車（５１２）は、「１」、「２」、「３」、「４」、「５」、「６」、「７」、「８」、「９」、「０」の順序で周方向に配列された１０個の数字を含む第一日文字表示面を有し、
前記第二日車（５２２）は、「０」、「１」、「２」、「３」の順序で周方向に配列された４個の数字を含む第二日文字表示面を有する、
ことを特徴とするカレンダ機構付き時計。
【請求項４】
請求項２に記載のカレンダ機構付き時計において、
前記駆動機構の作動に基づいて回転するように構成され、かつ、前記プログラム歯車（５４０）の中心穴の内部に配置された日回し車（５１０）と、
前記日回し車（５１０）の回転に基づいて回転するように構成された日回しつめ（５１１）とを備え、
前記プログラム歯車（５４０）は前記日回しつめ（５１１）の回転に基づいて回転するように構成される、
ことを特徴とするカレンダ機構付き時計。
【請求項５】
請求項１に記載のカレンダ機構付き時計において、
カレンダ修正ができる巻真位置に巻真（３１０）を引き出した状態において、前記巻真（３１０）を回転させることにより前記第一日車（５１２）の表示内容、及び、前記第二日車（５２２）の表示内容のうちの少なくとも一方を修正することができるカレンダ修正機構を備え、
前記カレンダ修正機構は日修正車（５９３）を含み、カレンダ修正ができる巻真位置に巻真（３１０）を引き出した状態において、前記巻真（３１０）の回転に基づいて前記日修正車（５９３）が回転することにより前記プログラム歯車（５４０）を回転させることができるように構成される、
ことを特徴とするカレンダ機構付き時計。
【発明の詳細な説明】
【技術分野】
【０００１】
本発明は、日付のうちの一の位を表示する第一日車と、日付のうちの十の位を表示する第二日車とを含むカレンダ機構付き時計に関する。さらに詳細には、本発明は、第一日車と第二日車とを偏心して配置し、リング状のプログラム歯車を用いて第一日車および第二日車を回転させるように構成したカレンダ機構付き時計に関する。
【背景技術】
【０００２】
（１）用語の説明：
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。一般に、「１２時側」とは、アナログ式時計において、文字板の１２時に対応する目盛が配置されている方の側を示す。「１２時方向」とは、アナログ式時計において、指針の回転中心から「１２時側」に向かう方向を示す。また、「３時側」とは、アナログ式時計において、文字板の３時に対応する目盛が配置されている方の側を示す。「３時方向」とは、アナログ式時計において、指針の回転中心から「３時側」に向かう方向を示す。また、「６時側」とは、アナログ式時計において、文字板の６時に対応する目盛が配置されている方の側を示す。「６時方向」とは、アナログ式時計において、指針の回転中心から「６時側」に向かう方向を示す。また、「９時側」とは、アナログ式時計において、文字板の９時に対応する目盛が配置されている方の側を示す。「９時方向」とは、アナログ式時計において、指針の回転中心から「９時側」に向かう方向を示す。さらに、「２時方向」、「２時側」のように、その他の文字板の目盛が配置されている方の側を示すことがある。
【０００３】
（２）従来のカレンダ機構付き時計：
以下に、日付のうちの一の位を表示する第一日車と、日付のうちの十の位を表示する第二日車とを含む従来のカレンダ機構付き時計の構成について説明する。
（２・１）従来の第一タイプのカレンダ機構付き時計：
従来の第一タイプのカレンダ機構付き時計は、環状ディスク孔を有する一位数字ディスクを一日毎ワンステップで駆動し、十位数字ディスクを１０日毎ワンステップで駆動している。一位数字ディスクの面に０〜９の数字（すなわち、合計１０個の数字）が配置される。十位数字ディスクの面に１〜３の数字（すなわち、合計３個の数字）及び空白箇所が配置される。十位数字ディスク内に切欠きが設けられる。一位数字ディスク及び十位数字ディスクが表示位置の範囲で重なって平行に配置される。十位数字ディスクの回転中心は、一位数字ディスクの環状ディスク孔の中に配置される。３１個の歯を備えたプログラム駆動ホイールは３１日で一回転する。一位数字プログラムホイールによって中間ホイールを回転させる。中間ホイールに結合された駆動ピニオンによって一位数字ディスクを回転させる。十位数字プログラムホイールによってピニオンを回転させ、このピニオンと一体の十位数字ディスクは回転する（例えば、特許文献１参照）。
【０００４】
（２・２）従来の第二タイプのカレンダ機構付き時計：
従来の第二タイプのカレンダ機構付き時計は、日付の１の位を表示する１の位ディスクと、日付の１０の位を表示する１０の位板とを備える。１０の位板の回転中心は、１の位ディスクの外側に配置される。１の位ディスクの面に１〜９、０〜９、０〜９、０、１の数字（すなわち、合計３１個の数字）が配置される。１０の位板の面に０〜３の数字（すなわち、合計４個の数字）が配置される。１の位ディスクは、内周部に３１個の内歯を備えている。１の位ディスクは、外周部に４個の外歯を備えている。日送り車に設けられた日送りつめによって１の位ディスクの歯を一日に１ピッチだけ前進させることができる。１０の位ピニオンが１０の位板に固定されている。１の位ディスクに設けられた外歯によって１０の位ピニオンを回転させることができる（例えば、特許文献２参照）。
【０００５】
（２・３）従来の第三タイプのカレンダ機構付き時計：
従来の第三タイプのカレンダ機構付き時計は、日付のうちの一の位を表示する第一日車と、日付のうちの十の位を表示する第二日車とを備える。第一日車の回転中心と、第二日車の回転中心は同一位置に配置される。第一日車の面に１〜９、０〜９、０〜９、０、１の数字（すなわち、合計３１個の数字）が配置される。第二日車の面に０〜３、０〜３、０〜３の数字（すなわち、合計１２個の数字）が配置される。１２個の切り欠き部が第二日車の面に設けられる。第一日車は、内歯として形成された３１個の第一日車歯部と、内歯として形成された４個のカレンダ桁送り歯とを含む。それぞれのカレンダ桁送り歯は、第一日車を第一方向に送るための正転送り部と、第一日車を、前記第一方向と反対の第二方向に送るための逆転送り部とを備える（例えば、特許文献３参照）。
【０００６】
（３）特許文献のリスト：
【特許文献１】特開平５−２８１３６８号公報
【特許文献２】欧州特許出願公開第ＥＰ１２９６２０４Ａ１号公報
【特許文献３】特開２００５−２１４８３６号公報
【発明の開示】
【発明が解決しようとする課題】
【０００７】
従来の第一タイプのカレンダ機構付き時計では、プログラム駆動ホイールは３枚の歯車で構成されているので、駆動機構の構成部品が小さくなり、部品加工に難があり、さらに、駆動機構が厚くなるという課題があった。従来の第二タイプ、第三タイプのカレンダ機構付き時計では、第一日車の表示面に３１個の数字が配置されているので、日文字を大きくするのが難しいという課題があった。
【０００８】
本発明の目的は、駆動機構の構成部品を大きく設計することができ、部品加工がたやすいカレンダ機構付き時計を提供することにある。本発明の他の目的は、プログラム歯車を薄くすることができ、時計のムーブメント全体を薄く設計することができるカレンダ機構付き時計を提供することにある。本発明の他の目的は、カレンダ表示が大きくて見やすいカレンダ機構付き時計を提供することにある。
【課題を解決するための手段】
【０００９】
本発明は、２つの日車を含むカレンダ機構付き時計において、カレンダ機構付き時計を駆動するための駆動機構と、駆動機構の作動により回転して時刻情報を表示する時刻表示車と、日付のうちの一の位を表示する第一日車と、日付のうちの十の位を表示する第二日車と、駆動機構の作動に基づいて、第一日車および第二日車を、それぞれ間欠的に回転させることができるように構成されたプログラム歯車とを備えるように構成した。第二日車の回転中心軸線は、第一日車の外側に位置し、かつ、前記プログラム歯車の内側に位置するように構成される。このカレンダ機構付き時計は、互いに隣接して位置決めされた、第一日車に設けられた第一日文字のうちの１つと、第二日車に設けられた第二日文字のうちの１つとによって、日に関する情報を表示することができる。
【００１０】
本発明のカレンダ機構付き時計では、プログラム歯車は、中心穴を有するリング形状に構成され、時刻表示車の回転中心軸線は、プログラム歯車の中心穴の内部に配置されるのがよい。この構成により、時計のムーブメント全体が薄く構成されたカレンダ機構付き時計を実現することができる。
【００１１】
本発明のカレンダ機構付き時計では、プログラム歯車は、中心穴を有するリング形状に構成され、第一日車を間欠的に回転させるためのプログラム歯が、プログラム歯車の外周部に設けられるのが好ましい。また、第二日車を間欠的に回転させるための別のプログラム歯が、プログラム歯車の内周部に設けられるのが好ましい。この構成では、プログラム歯車が外周部および内周部にプログラム歯を備えるので、部品点数が少なく、小型で製造が容易なカレンダ機構付き時計を実現することができる。
【００１２】
本発明のカレンダ機構付き時計では、プログラム歯車は、駆動機構の作動を受け入れるための３１個の駆動用プログラム歯を有し、プログラム歯車は、第一日車を回転させるための３０個の歯部を有し、プログラム歯車は、第二日車を回転させるための４個の歯部を有し、第一日車は、「１」、「２」、「３」、「４」、「５」、「６」、「７」、「８」、「９」、「０」の順序で周方向に配列された１０個の数字を含む第一日文字表示面を有し、第二日車は、「０」、「１」、「２」、「３」の順序で周方向に配列された４個の数字を含む第二日文字表示面を有するのがよい。この構成により、カレンダ表示が大きくて見やすいカレンダ機構付き時計を実現することができる。
【００１３】
本発明のカレンダ機構付き時計は、駆動機構の作動に基づいて回転するように構成され、かつ、プログラム歯車の中心穴の内部に配置された日回し車と、日回し車の回転に基づいて回転するように構成された日回しつめと、を備えるように構成することができる。プログラム歯車は日回しつめの回転に基づいて回転するように構成される。また、本発明のカレンダ機構付き時計は、プログラム歯車の回転に基づいて回転するカレンダ中間車を備えるように構成することができる。カレンダ中間車の回転中心軸線は、第一日車の外側に位置し、かつ、プログラム歯車の外側に位置するように構成することができる。第一日車はカレンダ中間車の回転に基づいて回転するように構成することができる。この構成により、コンパクトに構成されたカレンダ機構付き時計を実現することができる。
【００１４】
本発明のカレンダ機構付き時計では、カレンダ修正ができる巻真位置に巻真を引き出した状態において、巻真を回転させることにより第一日車の表示内容、及び、第二日車の表示内容のうちの少なくとも一方を修正することができるカレンダ修正機構を備える。カレンダ修正機構は日修正車を含むように構成される。カレンダ修正ができる巻真位置に巻真を引き出した状態において、巻真を回転させて日修正車の回転により、プログラム歯車を回転させることができる。この構成により、コンパクトに構成されたカレンダ機構付き時計を実現することができる。
【発明の効果】
【００１５】
本発明のカレンダ機構付き時計は、駆動機構の構成部品が大きいので、部品の加工がたやすい。また、本発明のカレンダ機構付き時計は、プログラム歯車が薄いので、時計のムーブメント全体が薄く構成されている。また、本発明のカレンダ機構付き時計は、カレンダ機構をコンパクトに形成することができる。
【発明を実施するための最良の形態】
【００１６】
以下に、本発明の実施の形態を図面に基づいて説明する。
（１）本発明の実施の形態の構造：
最初に、本発明の実施の形態について説明する。以下に説明する本発明の実施形態は、カレンダ機構付き時計をアナログ電子時計で構成したときの実施形態である。以下の説明は、本発明のカレンダ機構付き時計をアナログ電子時計に適用した構成について説明しているけれども、本発明は、アナログ電子時計だけでなく、機械式時計にも適用することができる。すなわち、本明細書における「カレンダ機構付き時計」という概念は、「アナログ電子時計」も、「機械式時計」も、他のすべての作動原理のアナログ時計も含む概念である。
【００１７】
（１・１）ムーブメントの表側の構造：
以下に、ムーブメントの表側の構造を説明する。図４、図６、図１２を参照すると、ムーブメント１００は、地板１０２を備える。巻真３１０が地板１０２の３時側に回転可能なように配置される。時計の動力源を構成する電池２２０が、地板１０２の裏蓋側に配置される。時計の源振を構成する水晶ユニット２２２が地板１０２の裏蓋側に配置される。水晶振動子が、水晶ユニット２２２に収容される。水晶ユニット２２２のリード部は、回路基板２２４に固定される。電池プラス端子２２６が、電池２２０の陽極と、回路基板２２４のプラスパターンとを導通させるように配置される。電池マイナス端子２２８が、電池２２０の陰極と、回路基板２２４のマイナスパターンとを導通させるように配置される。水晶振動子の振動に基づいて基準信号を出力する発振部（オシレータ）と、発振部の出力信号を分周する分周部（デバイダ）と、分周部の出力信号に基づいてステップモータを駆動するモータ駆動信号を出力する駆動部（ドライバ）とが、集積回路（ＩＣ）２３０に内蔵される。集積回路２３０は回路基板２２４に固定される。コイルブロック２３２と、ステータ２３４と、ロータ２３６とが、地板１０２の裏蓋側に配置される。
【００１８】
五番車３８０が、ロータ２３６の回転に基づいて回転するように構成される。四番車２４０が、五番車３８０の回転に基づいて回転するように構成される。三番車３２６が、四番車２４０の回転に基づいて回転するように構成される。分車３２４が、三番車３２６の回転に基づいて回転するように構成される。スリップ機構が、分歯車と、二番かなとの間に設けられる。スリップ機構を設けることより、針合わせをするときに、表輪列の回転を停止させた状態で、巻真３１０を回転させて、分針３５２及び時針３５６を回転させることができる。分針３５２は分車３２４に取り付けられる。
【００１９】
五番車３８０の回転に基づいて秒車３８２が作動するように構成される。秒車３８２の歯車部は、五番下かなと噛み合うように構成される。ロータ２３６の回転により、五番車３８０の回転を介して、秒車３８２が回転するように構成される。秒車３８２は１分間で１回転するように構成される。秒針３８６が秒車３８２の上軸部の先端部に取り付けられる。「秒」を表示するための文字、数字、略字などが文字板１０４に設けられる。秒針３８６と数字などによって、時刻情報である「秒」に関する情報を表示することができるように構成される。
【００２０】
巻真３１０を２段目に引き出して針合わせをするときに、四番車２４０を規正するために、規正レバー２５０が地板１０２の裏蓋側に配置される。巻真３１０を２段目に引き出して針合わせをするときに、集積回路２３０の動作をリセットするために、リセットレバー２５２が設けられる。日の裏車２６０が、分車３２４の回転に基づいて回転するように構成される。筒車３５４が、日の裏車２６０の回転に基づいて回転するように構成される。
【００２１】
切換機構は、地板１０２の裏蓋側に配置される。変形例として、切換機構は、地板１０２の文字板側に配置することもできる。切換機構は、おしどり３７０、かんぬき３７１を含むように構成される。時刻合わせ機構は、巻真３１０と、つづみ車３１１とを含む。巻真３１０を１段目に引き出した状態で、巻真３１０を回転させることによって、日修正を行うことが出来る。巻真３１０を２段目に引き出した状態で、巻真３１０を回転させることによって、時刻表示を修正することが出来る。
【００２２】
分車３２４は、分歯車（図示せず）と分かなとを含む。分歯車は三番かなと噛み合うように構成される。分かなと分歯車には、分かなが分歯車に対してスリップできるように構成されたスリップ機構が設けられる。三番車３２６の回転により分車３２４の回転を介して、日の裏車２６０が回転するように構成される。分かなは日の裏歯車と噛み合うように構成される。筒車３５４が日の裏かなと噛み合うように構成される。
【００２３】
五番車３８０は、地板１０２および輪列受３６２に対して回転可能なように設けられる。ロ−タ２３６の回転により五番車３８０の回転を介して、秒車３８２が回転するように構成される。秒車３８２は、地板１０２および秒車受３８４に対して回転可能なように設けられる。秒車３８２は１分間に１回転するように構成される。秒車３８２に取り付けた秒針３８６が「秒」を表示する。
【００２４】
分車３２４、日の裏車２６０、筒車３５４は、裏輪列を構成する。ロ−タ２３６の回転により、五番車３８０、四番車２４０、三番車３２６の回転を介して、分車３２４は１時間に１回転する。分車３２４の分かなに取り付けた分針３５２が「分」を表示する。分車３２４の回転に基づいて、日の裏車２６０の回転を介して、筒車３５４は１２時間に１回転する。筒車３５４に取付けた時針３５６が「時」を表示する。巻真３１０を２段目に引き出すと、巻真３１０を回転させることにより、つづみ車３１１、小鉄車３７６の回転を介して、日の裏車を回転させることができる。巻真３１０が２段目にある状態で、日の裏車を回転させると、分かなおよび筒車３５４を回転させて、時刻表示を修正することができる。
【００２５】
（１・２）日車送り機構の構成：
次に、日車送り機構の構成について説明する。図１〜図６を参照すると、日送り機構は、日回し車５１０と、日回し車５１０と一体に設けられた日回しつめ５１１と、プログラム歯車５４０と、プログラム歯車躍制レバー５３２と、プログラム歯車躍制レバーばね５３４と、カレンダ中間車５３６とを含む。カレンダ中間車５３６は地板１０２に設けられたカレンダ中間車ピンに対して回転可能に組み込まれる。日回し車５１０および日回しつめ５１１は、地板１０２に設けられた日回し車ピンに対して回転可能に組み込まれる。筒車３５４の日送り歯車部３５５は、日回し車５１０の歯車部と噛み合う。筒車３５４が回転することにより、日回し車５１０は２４時間で１回転するように構成される。日回しつめ５１１は、日回し車５１０の回転に基づいて一体に回転するように構成される。日回し車５１０は、地板１０２と日車押さえ５７０との間に配置される。日回し車５１０の回転中心は、文字板の「２時方向」と「３時方向」との間に配置されるのが好ましい。
【００２６】
プログラム歯車５４０は、中心穴を有するリング形状に構成される。プログラム歯車５４０は、内周に設けられかつ日回しつめ５１１の回転によって回転する第一プログラム歯５４１と、内周に設けられかつ第二日車５２２を間欠的に回転させる第二プログラム歯５４２と、外周に設けられかつカレンダ中間車５３６を介して第一日車５１２を間欠的に回転させる第三プログラム歯５４３とを含む。第一プログラム歯５４１と、第二プログラム歯５４２は、積層するように配置することができる。第一プログラム歯５４１の先端部は、地板１０２に設けられたプログラム歯車案内軸部の外周に対して回転可能に組み込まれる。プログラム歯車押え５７２が地板１０２の文字板１０４のある側に配置される。
【００２７】
プログラム歯車５４０は、地板１０２とプログラム歯車押え５７２との間に配置される。プログラム歯車躍制レバー５３２の規制部は、第一プログラム歯５４１の２つの歯部を規制している。プログラム歯車５４０の回転は、プログラム歯車躍制レバー５３２によって規制される。プログラム歯車躍制レバーばね５３４は、カレンダー中間車押さえ５７４に一体に形成することができる。プログラム歯車躍制レバーばね５３４の弾性力によって、プログラム歯車躍制レバー５３２の規制部は、第一プログラム歯５４１の２つの歯部に対して押し付けられる。日回し車５１０は、駆動機構の作動に基づいて回転するように構成され、かつ、プログラム歯車５４０の中心穴の内部に配置される。
【００２８】
時刻表示車を構成する筒車３５４、分車３２４の回転中心軸線は、プログラム歯車５４０の中心穴の内側に位置するように構成される。日回し車５１０の回転中心軸線は、プログラム歯車５４０の中心穴の内側に位置するように構成される。カレンダ中間車５３６の回転中心軸線は、プログラム歯車５４０の内側に位置するように構成される。第一日車５１２の回転中心軸線は、プログラム歯車５４０の中心穴の内側に位置するように構成される。第二日車５２２の回転中心軸線は、プログラム歯車５４０の内側に位置するように構成される。
【００２９】
カレンダ中間車５３６は、カレンダ中間歯車５３７と、カレンダ中間かな５３８とを含む。カレンダ中間車５３６は、地板１０２とカレンダ中間車押さえ５７４との間に配置される。カレンダ中間かな５３８は第三プログラム歯５４３と噛み合うように構成される。カレンダ中間歯車５３７は第一日車歯５１６と噛み合うように構成される。
【００３０】
図３を参照すると、第一プログラム歯５４１は、等しい角度間隔となるように形成された３１個の歯部を含む。第一プログラム歯５４１の歯部の角度間隔は、３６０／３１度である。第三プログラム歯５４３は、等しい角度間隔となるように形成された３０個の歯部を含む。第三プログラム歯５４３の歯部の角度間隔は、２９箇所が３６０／３１度であり、１箇所だけが２＊３６０／３１度である。第二プログラム歯５４２は、４個の歯部を含む。第二プログラム歯５４２の歯部の角度間隔は、順番に、９＊３６０／３０度、１０＊３６０／３０度、１０＊３６０／３０度、２＊３６０／３０度である。
【００３１】
図１を参照すると、第一日車５１２は、日付のうちの一の位を表示するために設けられる。第二日車５２２は、日付のうちの十の位を表示するために設けられる。第一日車５１２の回転中心は、文字板１０４の「２時方向」と「３時方向」との間に配置されるのが好ましい。第二日車５２２の回転中心は、文字板１０４の「１１時方向」と「１２時方向」との間に配置されるのが好ましい。第一日車５１２の外径は、第二日車５２２の外径より大きい寸法に形成されるのがよい。第一日車５１２の外形の一部は、第二日車５２２の外形の一部と重なるように配置されるのがよい。第一日車５１２と第二日車５２２は、互いに隣接して位置決めされ、第一日車５１２に設けられた第一日文字のうちの１つと、第二日車５２２に設けられた第二日文字のうちの１つを用いることによって、文字板１０４の日窓１０５から日に関する情報を表示することができるように構成される。この構成により、カレンダ表示が大きくて見やすいカレンダ機構付き時計を実現することができる。
【００３２】
図１は、本発明のカレンダ機構付き時計において、文字板１０４の１２時方向の位置に日窓１０５（仮想線で示している）を設け、この日窓１０５から第一日車５１２が「１」を表示し、第二日車５２２が「０」を表示して、日付が「０１日」すなわち「１日」であることを表示する状態を示している。
【００３３】
図１〜図５を参照すると、第一日車５１２が地板１０２に対して回転可能に組み込まれる。第一日車５１２は、等しい角度間隔となるように形成された２０個の第一日車歯５１６を有する。第一日車５１２の回転方向の位置を規正するための第一日躍制レバー５１４は地板１０２に組み込まれる。第一日躍制レバー５１４は、第一日車歯５１６を規制するための規正部を含む。第一日躍制レバーばね５１５は、カレンダ中間車押さえ５７４に一体に形成することができる。第一日躍制レバーばね５１５の弾性力によって、第一日躍制レバー５１４の規制部は、第一日車歯５１６のうちの２個を規正することができるように構成される。
【００３４】
第二日車５２２が地板１０２に設けられた第二日車回転軸５８０に対して回転可能に組み込まれる。第二日車５２２は、等しい角度間隔となるように形成された４個の第二日車歯５２６を有する。第二日車５２２の回転方向の位置を規正するための第二日躍制レバー５２４は地板１０２に組み込まれる。第二日躍制レバー５２４は、第二日車５２２を規正するための規正部を含む。第二日躍制レバーばね５２５は、プログラム歯車押え５７２に一体に形成することができる。第二日躍制レバーばね５２５の弾性力によって、第二日躍制レバー５２４の規正部は第二日車歯５２６のうちの２個を規正することができるように構成される。
【００３５】
図１を参照すると、１０個の数字からなる第一日文字５１３が第一日車５１２の第一日文字表示面５１２Ｆに設けられる。第一日文字５１３は、「０」、「１」、「２」、「３」、「４」、「５」、「６」、「７」、「８」、「９」の順序で円周方向に数字を含む。第一日文字５１３を構成する１０個の数字は、等しい角度間隔、すなわち（３６０／１０）度の間隔で第一日文字表示面５１２Ｆに配置される。図１に示す状態では、第一日文字５１３のうちの「１」が文字板１０４に設けられた日窓１０５に配置されているが、第一日車５１２が矢印で示す方向に１ピッチ回転すると、第一日文字５１３のうちの「２」が日窓１０５に配置されるように構成される。以下同様にして、第一日車５１２が矢印で示す方向に１ピッチ回転すると、「３」、「４」、「５」、「６」、「７」、「８」、「９」、「０」、「１」、「２」の順序で、第一日文字５１３のうちの１つが日窓１０５に配置されるように構成される。この構成により、カレンダ表示が大きくて見やすいカレンダ機構付き時計を実現することができる。
【００３６】
４個の数字からなる第二日文字５２３が第二日車５２２の第二日文字表示面５２２Ｆに設けられる。第二日文字５２３は、「０」、「１」、「２」、「３」の順序で円周方向に数字を含む。第二日文字５２３を構成する４個の数字は、等しい角度間隔、すなわち（３６０／４）度の間隔で第二日文字表示面５２２Ｆに配置される。図１に示す状態では、第二日文字５２３のうちの「０」が日窓１０５に配置されているが、第二日車５２２が矢印で示す方向に１ピッチ回転すると、第２日文字５２３のうちの「０」の次に配置された「１」が日窓１０５に配置されるように構成される。以下同様にして、第二日車５２２が矢印で示す方向に１ピッチ回転すると、「２」、「３」、「０」、「１」の順序で、第二日文字５２３のうちの１つが日窓１０５に配置されるように構成される。或いは、第二日車５２２において、「０」の数字を設ける代わりに、その位置を「白紙」の部分（すなわち、何の数字も設けられていない無地の部分）とする構成も可能である。この構成により、カレンダ表示が大きくて見やすいカレンダ機構付き時計を実現することができる。
【００３７】
図１に示す状態は、ムーブメント１００において、第二日文字５２３のうちの「０」が日窓１０５の左側の部分に配置され、かつ、第一日文字５１３のうちの「１」が日窓１０５の右側の部分に配置される状態である。第二日文字表示面５２２Ｆは、第一日文字表示面５１２Ｆよりも文字板１０４に近い位置に配置される。図１３を参照すると、本発明のカレンダ機構付き時計のコンプリート５００では、文字板１０４の１２時方向の位置に日窓１０５が形成されている。コンプリート５００において、日窓１０５の中の左側の部分には、第二日車５２２の第二日文字５２３のうちの「３」が配置され、日窓１０５の中の右側の部分には、第一日車５１２の第一日文字５１３のうちの「１」が配置される。したがって、図１３はコンプリート５００が第二日車５２２の第二日文字５２３と第一日車５１２の第一日文字５１３とによって、「３１日」を表示している状態である。
【００３８】
図１〜図７を参照すると、筒車３５４が回転することにより日回し車５１０が回転して、日回しつめ５１１は、１日に１回だけ、プログラム歯車５４０を反時計回り方向に１歯分だけ回転させる。プログラム歯車５４０が回転することによって、第三プログラム歯５４３はカレンダ中間車５３６の回転を介して第一日車５１２を反時計回り方向に２歯分だけ回転させて、第一日車５１２により日窓１０５から表示される日文字を「１」から「２」に変えることができる。第一日車５１２の２歯分の回転は、第一日躍制レバー５１４によって規正される。
【００３９】
図７を参照すると、第一日車５１２により日窓１０５から表示される日文字を「９」から「０」に変えるとき、第三プログラム歯５４３が回転することによって第一日車５１２を回転させるのと同時に、第二プログラム歯５４２は第二日車５２２を反時計回り方向に１歯分だけ回転させて、第二日車５２２により日窓１０５から表示される日文字を「２」から「３」に変えることができるように構成される。第二日車５２２の１歯分の回転は、第二日躍制レバー５２４によって規正される。上記のような日送りの作動は、時針３５６と分針３５２が１２時０分を表示するときに完了するように構成するのがよい。
【００４０】
（１・３）カレンダ修正機構の構成：
図１、図２および図４を参照すると、カレンダ修正機構は、第一カレンダ修正車５９０と、第二カレンダ修正車５９１と、第三カレンダ修正車５９２と、カレンダ修正車５９３とを含む。カレンダ修正車５９３は、地板１０２に設けられた案内穴にそって揺動できるように構成される。巻真３１０を０段目から１段目に引き出すと、巻真３１０の角部が第一カレンダ修正車５９０の丸穴部と係合することができるように構成される。巻真３１０を１段目に引き出した状態で、巻真３１０を第１の方向に回転させると、第一カレンダ修正車５９０が回転して、第二カレンダ修正車５９１、第三カレンダ修正車５９２の回転を介してカレンダ修正車５９３は時計回り方向に揺動して、カレンダ修正車５９３の歯車部が第一プログラム歯５４１と噛み合う位置まで回転して停止し、そのカレンダ修正位置でカレンダ修正車５９３は回転するように構成される。カレンダ修正車５９３が前記カレンダ修正位置で回転すると、カレンダ修正車５９３はプログラム歯車５４０を反時計回り方向に回転させることができるように構成される。
【００４１】
巻真３１０を１段目に引き出した状態で、巻真３１０を第１の方向と逆の第２の方向に回転させると、第一カレンダ修正車５９０が回転して、第二カレンダ修正車５９１、第三カレンダ修正車５９２の回転を介してカレンダ修正車５９３は反時計回り方向に揺動して、カレンダ修正車５９３の歯車部は第一プログラム歯５４１と噛み合わない位置まで回転して、空転位置で停止するように構成される。カレンダ修正車５９３が前記空転位置で回転しても、プログラム歯車５４０を回転させることができないように構成される。巻真３１０を１段目に引き出した状態で、巻真３１０を第１の方向に回転させると、第一カレンダ修正車５９０が回転して、第二カレンダ修正車５９１、第三カレンダ修正車５９２の回転を介してカレンダ修正車５９３が回転することによってプログラム歯車５４０が反時計回り方向に１歯分だけ回転し、第三プログラム歯５４３の回転によりカレンダ中間車５３６の回転を介して第一日車５１２を反時計回り方向に１歯分だけ回転させることができるように構成される。第一日車５１２により日窓１０５から表示される日文字を「９」から「０」に変えるとき、第三プログラム歯５４３がカレンダ中間車５３６を介して第一日車５１２を回転させるのと同時に、第二プログラム歯５４２は第二日車５２２を反時計回り方向に１歯分だけ回転させることができるように構成される。
【００４２】
（１・４）通常運針の作動：
次に、通常運針の作動について説明する。図４、図６、図１２を参照すると、水晶ユニット２２２の水晶振動子の振動に基づいて、集積回路２３０の発振部が基準信号を出力し、分周部が発振部の出力信号を分周する。駆動部が分周部の出力信号に基づいて、ステップモータを駆動するモータ駆動信号を出力する。コイルブロック２３２がモータ駆動信号を入力すると、ステータ２３４が磁化して、ロータ２３６を回転させる。ロータ２３６の回転に基づいて、五番車３８０の回転を介して四番車２４０が回転する。五番車３８０の回転に基づいて、秒車３８２が１分間に１回転する。三番車３２６が四番車２４０の回転に基づいて回転する。分車３２４が三番車３２６の回転に基づいて、１時間に１回転する。日の裏車２６０が分車３２４の回転に基づいて回転する。筒車３５４が日の裏車２６０の回転に基づいて、１２時間に１回転する。
【００４３】
（１・５）カレンダ送りの作動：
次に、カレンダ送りの作動について説明する。図３を参照すると、図３に示す状態は、第二日文字５２３のうちの「２」が日窓１０５の左側の部分に配置され、かつ、第一日文字５１３のうちの「９」が日窓１０５の右側の部分に配置される状態である。したがって、図３に示す状態は、コンプリート５００において、第二日車５２２の第二日文字５２３と第一日車５１２の第一日文字５１３とによって、「２９日」を表示している。
【００４４】
図１〜図８を参照すると、筒車３５４が回転することにより日回し車５１０が回転して、日回しつめ５１１は、１日に１回だけ、プログラム歯車５４０を反時計回り方向に１歯分だけ回転させる。プログラム歯車５４０が回転することによって、第三プログラム歯５４３はカレンダ中間車５３６の回転を介して第一日車５１２を反時計回り方向に２歯分だけ回転させて、第一日車５１２により日窓１０５から表示される日文字を「９」から「０」に変える。第三プログラム歯５４３によって第一日車５１２を回転させるのと同時に、第二プログラム歯５４２は第二日車５２２を反時計回り方向に１歯分だけ回転させて、第二日車５２２により日窓１０５から表示される日文字を「２」から「３」に変える。したがって、図８に示すように、上記のような日送りの作動によって、第二日車５２２の第二日文字５２３によって「３」を表示し、第一日車５１２の第一日文字５１３によって「０」を表示して、第二日車５２２および第一日車５１２によって日窓１０５から「３０日」を表示することができる。上記のような日送りの作動は、時針３５６と分針３５２が１２時０分を表示するときに完了する。
【００４５】
図８および図９を参照すると、さらに、筒車３５４が回転することにより日回し車５１０が回転して、日回しつめ５１１は、１日に１回だけ、プログラム歯車５４０を反時計回り方向に１歯分だけ回転させる。プログラム歯車５４０が回転することによって、第三プログラム歯５４３はカレンダ中間車５３６の回転を介して第一日車５１２を反時計回り方向に２歯分だけ回転させて、第一日車５１２により日窓１０５から表示される日文字を「０」から「１」に変える。このとき、第二プログラム歯５４２は第二日車５２２を回転させない。
【００４６】
図１１を参照すると、コンプリート５００において、上記のような日送りの作動によって、第二日車５２２の第二日文字５２３によって「３」を表示し、第一日車５１２の第一日文字５１３によって「１」を表示して、第二日車５２２および第一日車５１２によって日窓１０５から「３１日」を表示することができる。巻真３１０の押し引き操作と、巻真３１０の回転操作は、巻真３１０と一体に回転する「りゅうず５０４」を操作することによって行うことができる。
【００４７】
図９および図１０を参照すると、さらに、筒車３５４が回転することにより日回し車５１０が回転して、日回しつめ５１１は、１日に１回だけ、プログラム歯車５４０を反時計回り方向に１歯分だけ回転させる。プログラム歯車５４０が回転しても、第三プログラム歯５４３は第一日車５１２を回転させることはなく、第一日車５１２により日窓１０５から表示される日文字は「１」のままである。このとき、第二プログラム歯５４２は第二日車５２２を反時計回り方向に１歯分だけ回転させて、第二日車５２２により日窓１０５から表示される日文字を「３」から「０」に変える。したがって、図１２に示すように、上記のような日送りの作動によって、第二日車５２２の第二日文字５２３によって「０」を表示し、第一日車５１２の第一日文字５１３によって「１」を表示して、第二日車５２２および第一日車５１２によって日窓１０５から「０１日」（すなわち、「１日」）を表示することができる。
【００４８】
さらに、筒車３５４が回転することにより、プログラム歯車５４０が回転して、第一日車５１２により日窓１０５から表示される日文字を「１」から「２」に変え、第二日車５２２および第一日車５１２によって日窓１０５から「０２日」（すなわち、「２日」）を表示することができる。さらに、筒車３５４が回転することにより、プログラム歯車５４０が回転して、第一日車５１２により日窓１０５から表示される日文字を「２」から「３」に変え、第二日車５２２および第一日車５１２によって日窓１０５から「０３日」（すなわち、「３日」）を表示することができる。したがって、上記のような日送りの作動によって、第二日車５２２および第一日車５１２によって日窓１０５から「０１日」から「３１日」を表示することができる。
【００４９】
（２）本発明を機械式時計で構成する場合
本発明を機械式時計で構成する場合において、切換機構、カレンダ送り機構、カレンダ修正機構の構造および作用は、上述した本発明の実施形態の構造および作用と同様である。構造の詳細は図示しないけれども、機械式時計では、香箱車の香箱歯車の回転により、二番車、三番車の回転を介して、四番車が１分間に１回転する。四番車の回転速度は、がんぎ車により制御される。がんぎ車の回転速度は、アンクルにより制御される。アンクルの揺動運動は、てんぷにより制御される。三番車の回転により、分車が１時間に１回転する。分車の回転により、日の裏車の回転を介して筒車は１２時間に１回転するように構成される。筒車が回転することにより日回し車５１０が回転して、日回しつめ５１１は、１日に１回だけ、プログラム歯車５４０を反時計回り方向に１歯分だけ回転させる。このような日送りの作動によって、第二日車５２２の第二日文字５２３と、第一日車５１２の第一日文字５１３とによって、文字板の日窓から日付けを表示することができる。
【産業上の利用可能性】
【００５０】
本発明を適用すると、部品の加工がたやすいカレンダ機構付き時計を製造することができる。また、本発明を適用すると、ムーブメント全体が薄く構成されたカレンダ機構付き時計を製造することができる。さらに、本発明を適用すると、カレンダ表示が大きくて見やすいカレンダ機構付き時計を製造することができる。
【図面の簡単な説明】
【００５１】
【図１】本発明の実施形態において、ムーブメントを文字板側から見たときの第一日車、第二日車などを示す概略平面図である。
【図２】本発明の実施形態において、ムーブメントを文字板側から見たときのプログラム歯車、修正機構を示す概略平面図である。
【図３】本発明の実施形態において、「２９日」を表示している状態の第一日車、第二日車、プログラム歯車の部分を示す拡大部分平面図である。
【図４】本発明の実施形態において、第一日車、プログラム歯車、カレンダ中間車の部分を示す部分断面図である。
【図５】本発明の実施形態において、第二日車、プログラム歯車の部分を示す部分断面図である。
【図６】本発明の実施形態において、プログラム歯車、秒車の部分を示す部分断面図である。
【図７】本発明の実施形態において、カレンダ機構の部分を示すブロック図である。
【図８】本発明の実施形態において、「３０日」を表示している状態の第一日車、第二日車、プログラム歯車の部分を示す拡大部分平面図である。
【図９】本発明の実施形態において、「３１日」を表示している状態の第一日車、第二日車、プログラム歯車の部分を示す拡大部分平面図である。
【図１０】本発明の実施形態において、「０１日」を表示している状態の第一日車、第二日車、プログラム歯車の部分を示す拡大部分平面図である。
【図１１】本発明の実施形態において、文字板の１２時方向に日窓を配置した構成で、「３１日」を表示している状態のコンプリートを示す平面図である。
【図１２】本発明の実施形態において、ムーブメントを裏蓋側から見たときの構造を示す概略平面図である。
【符号の説明】
【００５２】
１００  ムーブメント
１０２  地板
１０４  文字板
２４０  四番車
３２４  分車
３２６  三番車
３５４  筒車
５００  コンプリ−ト
５１０  日回し車
５１１  日回しつめ
５１２  第一日車
５２２  第二日車
５３６  カレンダ中間車
５４０  プログラム歯車
５４２  第二プログラム歯
５４３  第三プログラム歯
【図１】
0004692967.tif 000002
【図２】
0004692967.tif 000003
【図３】
0004692967.tif 000004
【図４】
0004692967.tif 000005
【図５】
0004692967.tif 000006
【図６】
0004692967.tif 000007
【図７】
0004692967.tif 000008
【図８】
0004692967.tif 000009
【図９】
0004692967.tif 000010
【図１０】
0004692967.tif 000011
【図１１】
0004692967.tif 000012
【図１２】
0004692967.tif 000013